(57)【要約】【課題】  複数の映像を画面を分割する互いに異なる領域に表示するマルチ表示モードと、１つの映像を画面上に表示するシングル表示モードとを入力映像の有無と解像度に従い自動で切り替えるようにする。【解決手段】  入力信号有無判定部（１０８）は、複数の映像受信部（１０３〜１０６）のそれぞれへの入力映像の有無を判定する。低解像度判定部（１０９）は、映像入力のある映像受信部（１０３〜１０６）で受信される映像の解像度が低解像度か否かを判定する。表示モード判定部（１１０）は、入力映像が単一の場合、シングル表示モードを設定し、入力映像が複数であってそれら入力映像が全て低解像度である場合、シングル表示モードを設定し、入力映像が複数であってそれら入力映像の１つでも低解像度でない場合、マルチ表示モードを設定する。【選択図】  図１
2015060021.tif 000002
【特許請求の範囲】
【請求項１】
複数の映像受信手段を具備し、前記複数の映像受信手段で受信される映像を画面を分割する互いに異なる領域に表示するマルチ表示モードと、前記複数の映像受信手段で受信される何れか１つの映像を画面上に表示するシングル表示モードとを選択できる表示装置であって、
前記複数の映像受信手段のそれぞれへの入力映像の有無を判定する入力信号有無判定手段と、
前記複数の映像受信手段で受信される映像の解像度が低解像度か否かを判定する低解像度判定手段と、
前記入力映像が単一の場合、前記シングル表示モードを設定し、前記入力映像が複数であって前記入力映像が全て前記低解像度である場合、前記シングル表示モードを設定し、前記入力映像が複数であって前記入力映像の１つでも低解像度でない場合、前記マルチ表示モードを設定する設定手段
とを有することを特徴とする表示装置。
【請求項２】
更に、前記複数の映像受信手段で受信される映像が同一か否かを判定する同一映像判定手段を有し、
前記設定手段は、
前記入力映像が単一の場合、前記シングル表示モードを設定し、前記入力映像が複数であって、前記入力映像が全て前記低解像度であり、且つ、低解像度の前記入力映像が同じである場合、前記シングル表示モードを設定し、前記入力映像が複数であって、前記入力映像の１つでも低解像度でないか、低解像度の前記入力映像が同じでない場合、前記マルチ表示モードを設定する
ことを特徴とする請求項１に記載の表示装置。
【請求項３】
更に、前記複数の映像受信手段で受信される映像が互いに同期しているかどうかを判定する同期判定手段を有し、
前記設定手段は、
前記入力映像が単一の場合、前記シングル表示モードを設定し、前記入力映像が複数であって、前記入力映像が全て前記低解像度であり、且つ、低解像度の前記入力映像が互いに同期している場合、前記シングル表示モードを設定し、前記入力映像が複数であって、前記入力映像の１つでも低解像度でないか、低解像度の前記入力映像が互いに同期していない場合、前記マルチ表示モードを設定する
ことを特徴とする請求項１に記載の表示装置。
【請求項４】
前記複数の映像受信手段は、それぞれの入力映像の解像度を示す解像度情報を出力し、
前記低解像度判定手段は、前記複数の映像受信手段からの前記解像度情報に従い、前記複数の映像受信手段で受信される映像の解像度が低解像度か否かを判定する
ことを特徴とする請求項１ないし３の何れか１項に記載の表示装置。
【請求項５】
前記複数の映像受信手段は、それぞれの入力映像の伝送に使用されるレーン数を示すレーン数情報を出力し、
前記低解像度判定手段は、前記複数の映像受信手段からの前記レーン数情報に従い、前記複数の映像受信手段で受信される映像の解像度が低解像度か否かを判定することを特徴とする請求項１ないし３の何れか１項に記載の表示装置。
【請求項６】
複数の映像受信手段を具備し、前記複数の映像受信手段で受信される映像を画面を分割する互いに異なる領域に表示するマルチ表示モードと、前記複数の映像受信手段で受信される何れか１つの映像を画面上に表示するシングル表示モードとを選択できる表示装置を制御する方法であって、
前記複数の映像受信手段のそれぞれへの入力映像の有無を判定する入力信号有無判定ステップと、
前記複数の映像受信手段で受信される映像の解像度が低解像度か否かを判定する低解像度判定ステップと、
前記入力映像が単一の場合、前記シングル表示モードを設定し、前記入力映像が複数であって、前記入力映像が全て前記低解像度である場合、前記シングル表示モードを設定し、前記入力映像が複数であって前記入力映像の１つでも低解像度でない場合、前記マルチ表示モードを設定する設定ステップ
とを有することを特徴とする表示装置の制御方法。
【請求項７】
複数の映像受信手段を具備し、前記複数の映像受信手段で受信される映像を画面を分割する互いに異なる領域に表示するマルチ表示モードと、前記複数の映像受信手段で受信される何れか１つの映像を画面上に表示するシングル表示モードとを選択できる表示装置を制御するプログラムであって、前記表示装置のＣＰＵを、
前記複数の映像受信手段のそれぞれへの入力映像の有無を判定する入力信号有無判定手段と、
前記複数の映像受信手段で受信される映像の解像度が低解像度か否かを判定する低解像度判定手段と、
前記入力映像が単一の場合、前記シングル表示モードを設定し、前記入力映像が複数であって前記入力映像が全て前記低解像度である場合、前記シングル表示モードを設定し、前記入力映像が複数であって前記入力映像の１つでも低解像度でない場合、前記マルチ表示モードを設定する設定手段
として機能させるためのプログラム。
【発明の詳細な説明】
【技術分野】
【０００１】
本発明は、画像データを表示する表示装置等に関する。
【背景技術】
【０００２】
近年、水平有効画素数３８４０、垂直有効ライン数２１６０などの高解像度の映像を表示可能な表示装置が広まってきている。
【０００３】
近年、ＰＣ（パーソナルコンピュータ）のグラフィックカードに多く採用されている映像信号を伝送するためのインターフェース規格として、例えば、ＤｉｓｐｌａｙＰｏｒｔ規格が知られている。こＤｉｓｐｌａｙＰｏｒｔ規格を用いた映像出力装置では、１本のケーブルで水平有効画素数３８４０、垂直有効ライン数２１６０等の高解像度の映像信号を伝送できない。そのため、映像出力装置が複数のケーブルを用いて、高解像度である映像信号を複数に分割して表示装置に伝送し、表示装置側で映像出力装置から受信した複数の映像信号を合成して表示することが知られている。
【０００４】
例えば、水平有効画素数３８４０、垂直有効ライン数２１６０という解像度に対応する表示装置では、水平有効画素数１９２０、垂直有効ライン数１０８０の映像信号を４本のケーブルを介して映像出力装置からそれぞれ受信する。その後、表示装置は、映像出力装置から受信した４つの映像信号の画像を互いに異なる画面領域上に同時に表示する。これにより、表示装置は、水平有効画素数３８４０、垂直有効ライン数２１６０の解像度の画像を表示できるようになる。このように、複数の映像信号を表示装置における複数の画面領域上で表示することで１つの高解像度の映像の表示を行う表示モードを「マルチ表示モード」という。マルチ表示モードに対応する表示装置（以下、マルチ表示対応表示装置という。）は、選択された１つの映像信号を表示装置における全画面で表示する表示モード（以下、「シングル表示モード」という）も選択することができる。
【０００５】
特許文献１には、マルチ表示対応表示装置において、複数の入力端子のうちの１つを介して映像信号を受信した場合、シングル表示モードを選択し、複数の入力端子を介して複数の映像信号を受信した場合、マルチ表示モードを選択する技術が記載されている。
【先行技術文献】
【特許文献】
【０００６】
【特許文献１】特開２００６−０８６８６６号公報
【発明の概要】
【発明が解決しようとする課題】
【０００７】
従来、映像出力機器は、例えば、電源オン時には、マルチ表示モード用の高解像度の映像信号を分割した映像信号を出力できず、低解像度の同じ映像信号を複数出力することがあった。このような映像出力機器がマルチ表示対応表示装置に接続された場合、マルチ表示対応表示装置は、画面上の異なる領域に（例えば、４つの画面領域）に、低解像度の同じ映像を複数表示してしまい、見苦しい画像を表示してしまうという問題があった。
【０００８】
そこで、本発明では、見苦しい画像を表示しないようにすることを目的とする。
【課題を解決するための手段】
【０００９】
本発明に係る表示装置は、複数の映像受信手段を具備し、前記複数の映像受信手段で受信される映像を画面を分割する互いに異なる領域に表示するマルチ表示モードと、前記複数の映像受信手段で受信される何れか１つの映像を画面上に表示するシングル表示モードとを選択できる表示装置であって、前記複数の映像受信手段のそれぞれへの入力映像の有無を判定する入力信号有無判定手段と、前記複数の映像受信手段で受信される映像の解像度が低解像度か否かを判定する低解像度判定手段と、前記入力映像が単一の場合、前記シングル表示モードを設定し、前記入力映像が複数であって前記入力映像が全て前記低解像度である場合、前記シングル表示モードを設定し、前記入力映像が複数であって前記入力映像の１つでも低解像度でない場合、前記マルチ表示モードを設定する設定手段とを有することを特徴とする。
【発明の効果】
【００１０】
本発明によれば、見苦しい画像を表示しないようにすることができる。
【図面の簡単な説明】
【００１１】
【図１】本発明の実施例１の概略構成ブロック図である。
【図２】実施例１における高解像度表示例である。
【図３】低解像度の４つの映像をマルチ表示モードで表示する例である。
【図４】実施例１における表示モード自動変更処理のフローチャートである。
【図５】実施例１におけるシングル表示モードの表示例である。
【図６】本発明の実施例２の概略構成ブロック図である。
【図７】実施例１における表示モード自動変更処理のフローチャートである。
【図８】本発明の実施例３の概略構成ブロック図である。
【図９】実施例３に複数の映像出力装置を接続する接続例である。
【図１０】実施例３における表示モード自動変更処理のフローチャートである。
【図１１】本発明の実施例４の概略構成ブロック図である。
【図１２】ＤｉｓｐｌａｙＰｏｒｔレーンの説明図である。
【図１３】実施例４における表示モード自動変更処理のフローチャートである。
【発明を実施するための形態】
【００１２】
以下、図面を参照して、本発明の実施例を詳細に説明する。
【実施例１】
【００１３】
図１は、本発明に係る表示装置の一実施例の概略構成ブロック図を示す。図１に示す表示装置１００は、外部から入力される映像信号の数と外部から入力される映像信号の解像度に応じて、表示装置１００の表示モードを自動で切り換える。表示モードには、複数の映像受信部のそれぞれで受信される映像を複数の異なる画面領域に表示するマルチ表示モードと、複数の映像受信部のいずれか一つで受信される映像を画面上に表示するシングル表示モードがある。以下の説明では、水平有効画素数３８４０、垂直有効ライン数２１６０の映像を「４Ｋ映像」と呼び、水平有効画素数３８４０、垂直有効ライン数２１６０の映像信号を「４Ｋ映像信号」と呼ぶ。また、水平有効画素数１９２０、垂直有効ライン数１０８０の映像を「２Ｋ映像」と呼び、水平有効画素数１９２０、垂直有効ライン数１０８０の映像信号を「２Ｋ映像信号」と呼ぶ。また、水平有効画素数１０２４、垂直有効ライン数７６８の映像を「１Ｋ映像」と呼び、水平有効画素数１０２４、垂直有効ライン数７６８の映像信号を「１Ｋ映像信号」と呼ぶ。
【００１４】
ＣＰＵ１０１は、ＲＯＭ１１２に格納されたプログラムに従い、ＲＡＭ１１３をワークメモリとして表示装置１００の動作を制御する。
【００１５】
映像入力部１０２は、ＤｉｓｐｌａｙＰｏｒｔ規格に準じたＤｉｓｐｌａｙＰｏｒｔ入力端子である４つの映像受信部１０３〜１０６を備えている。各映像受信部１０３〜１０６は、不図示の映像出力装置から出力される映像信号を受信し、受信した映像信号とその解像度情報（水平有効画素数及び垂直有効ライン数）を出力する。
【００１６】
映像処理部１０７は、映像入力部１０２の各映像受信部１０３〜１０６から出力される映像信号に基づいて、現在設定されている表示装置１００の表示モードに対応する表示用映像データを作成し、表示部１１１に供給する。
【００１７】
入力信号有無判定部１０８は、各映像受信部１０３〜１０６から出力される解像度情報に応じて、外部からの映像信号の入力の有無を判定する。入力信号有無判定部１０８は、解像度情報の水平有効画素数及び垂直有効ライン数がどちらも０ではない場合は、有信号があると判定する。なお、有信号は、外部からの映像信号の入力が有ることを示す信号である。また、入力信号有無判定部１０８は、解像度状態の水平有効画素数及び垂直有効ライン数の少なくとも一つが０の場合は、無信号があると判定する。なお、無信号は、外部からの映像信号の入力がないことを示す信号である。
【００１８】
低解像度判定部１０９は、各映像受信部１０３〜１０６から出力される解像度情報に対応する映像信号が低解像度であるか否かを判定する。
【００１９】
表示モード判定部１１０は、入力信号有無判定部１０８による判定結果と、低解像度判定部１０９による判定結果とに基づいて、表示装置１００の表示モードを決定し、決定した表示装置１００の表示モードに応じて映像処理部１０７を制御する。
【００２０】
表示部１１１は、液晶表示パネル等を含み、映像処理部１０７から供給される表示用映像データの表示を行う。
【００２１】
表示装置１００は、映像受信部１０３〜１０６のいずれか一つで受信される映像信号を表示するシングル表示モードと、画面を水平と垂直に分割した４つの画面領域に各映像受信部１０３〜１０６で受信される４つの映像信号を表示するマルチ表示モードを有する。
【００２２】
図２に、表示装置１００がマルチ表示モードである場合の表示例を示す。マルチ表示モードである表示装置１００に映像出力装置であるＰＣ（パーソナルコンピュータ）２０４が高解像度の映像信号（４Ｋ映像信号）を送信する場合について説明する。例えば、表示装置１００は４Ｋ映像を表示可能であるとする。ＰＣ２０４は、ＤｉｓｐｌａｙＰｏｒｔ（登録商標）出力端子である４つの映像送信部２０５〜２０８を備えている。さらに、映像送信部２０５〜２０８は、それぞれＤｉｓｐｌａｙＰｏｒｔケーブル２０９〜２１１を介して、映像受信部１０３〜１０６と接続されている。この場合、ＰＣ２０４は、高解像度の映像信号を４つの低解像度の映像信号に分割し、分割した映像信号をＤｉｓｐｌａｙＰｏｒｔ（登録商標）ケーブル２０９〜２１１を介して表示装置１００に出力する。
【００２３】
マルチ表示モードである表示装置１００において、各映像受信部１０３〜１０６で２Ｋ映像信号が受信された場合に、表示装置１００は、各２Ｋ映像を４分割の各画面領域２００〜２０４に表示する。即ち、映像受信部１０３で受信された映像信号に対応する表示用映像データを画面左上の領域２００に表示し、映像受信部１０４で受信された映像信号に対応する表示用映像データを画面左下の領域２０１に表示する。同様に、映像受信部１０５で受信された映像信号に対応する表示用映像データを画面右上の領域２０２に表示し、映像受信部１０６で受信された映像信号に対応する表示用映像データを画面右下の領域２０３に表示する。このように４つの２Ｋ映像を、画面を構成する４つの領域に表示することで、表示装置１００は、４Ｋの映像を表示することができる。
【００２４】
図２に示す例において、ＰＣ２０４は、単一の円を中心に配置した高解像度映像を水平・垂直に２分割し、互いに異なる角度位置の、９０度の円弧を含む４Ｋ映像信号を映像送信部２０５〜２０８から表示装置１００の映像受信部１０３〜１０６に供給する。
【００２５】
説明例として、ＰＣ２０４は、起動時には、高解像度の映像を分割して出力する機能が動作せず、映像送信部２０５〜２０８から同じ１Ｋ映像信号を出力する場合があった。図３に、ＰＣ２０４から同じ１Ｋ映像信号が複数出力された場合、マルチ表示モードである表示装置１００が各１Ｋ映像信号を表示するときにおける表示例を示す。映像送信部２０５〜２０８から４つの同じ映像信号が出力されるので、図３に示すように、表示装置１００において、画面を水平垂直に区分する４つの画面領域３００〜３０３に同じ表示用映像データが複数表示されてしまう。
【００２６】
図３に示されるように、同じ映像データが４つの画面領域３００〜３０３に表示されている場合、表示装置１００は、ユーザにとって見苦しい画像を表示していた。このような事態を防止するために、本実施例において、表示装置１００は、以下に説明する図４の自動変更処理を行う。
図４は、本実施例における表示モードの自動変更処理のフローチャートである。ステップＳ４０１において、入力信号有無判定部１０８は、映像受信部１０３〜１０６から出力される解像度情報に従い、映像受信部１０３〜１０６に入力される映像信号の有無を判定する。具体的には、入力信号有無判定部１０８は、映像受信部１０３〜１０６で受信される各映像信号の水平有効画素数及び垂直有効ライン数が共に０でない場合は、有信号があると判定する。また、入力信号有無判定部１０８は、映像受信部１０３〜１０６で受信される各映像信号の水平有効画素数及び垂直有効ライン数の少なくとも一つが０の場合は、無信号があると判定する。図３に示すように、４つの映像信号がＰＣ２０４から表示装置１００に入力される場合、入力信号有無判定部１０８は、４つの映像受信部１０３〜１０６のすべてについて、有信号があるか、無信号があるかを判定する。
【００２７】
ステップＳ４０２において、表示モード判定部１１０は、ステップＳ４０１で入力信号有無判定部１０８で判定された「有信号」の数が複数かどうかを判定する。入力信号有無判定部１０８で判定された有信号の数が複数ある場合は、ステップＳ４０３に進み、入力信号有無判定部１０８で判定された有信号の数が１以下である場合、ステップＳ４０６に進む。
【００２８】
ステップＳ４０３において、低解像度判定部１０９は、有信号があると判定された映像受信部１０３〜１０６から解像度情報を取得する。さらに、低解像度判定部１０９は、有信号があると判定された映像受信部１０３〜１０６から取得された解像度情報に対応する映像信号が低解像度であるか否かを判定する。具体的には、低解像度判定部１０９は、映像受信部１０３〜１０６の解像度情報の水平有効解像度と垂直有効ライン数と、所定の低解像度水平有効画素数及び所定の低解像度垂直有効ライン数と比較する。そして、水平有効画素数及び垂直有効ライン数がそれぞれ所定の低解像度水平有効画素数及び所定の低解像度垂直有効ライン数以下である場合、低解像度判定部１０９は、低解像度と判定する。水平有効画素数及び垂直有効ライン数がそれぞれ所定の低解像度水平有効画素数及び所定の低解像度垂直有効ライン数以下でない場合、低解像度判定部１０９は、低解像度でないと判定する。この場合、ステップＳ４０４に進む。
【００２９】
ステップＳ４０４において、表示モード判定部１１０は、低解像度判定部１０９の判定結果に基づいて、有信号があると判定された複数の映像受信部によって受信された映像信号が全て低解像度であるか否かを判定する。有信号があると判定された複数の映像受信部によって受信された映像信号が全て低解像度であると判定された場合、表示モード判定部１１０は、表示装置１００の表示モードとしてシングル表示モードを選択し、ステップＳ４０６に進む。有信号があると判定された複数の映像受信部によって受信された映像信号の少なくとも一つが低解像度ではない場合、表示モード判定部１１０は、表示装置１００の表示モードとしてマルチ表示モードを選択し、ステップ４０５に進む。
【００３０】
ステップＳ４０５において、映像処理部１０７は、有信号があると判定された映像受信部１０３〜１０６で受信された映像信号からマルチ表示モードの表示用映像データを生成し、表示部１１１に供給する。表示部１１１は、映像処理部１０７から供給された表示用映像データを画面に表示する。これにより、有信号があると判定された映像受信部１０３〜１０６で受信された映像信号に対応する表示用映像データが、マルチ表示モードで表示部１１１の画面に表示される。
【００３１】
ステップＳ４０６において、映像処理部１０７は、低解像度であると判定された映像信号をそれぞれ受信した映像受信部１０３〜１０６のいずれか１つを選択し、選択された映像受信部が受信した映像信号からシングル表示モードの表示用映像データを生成する。さらに、映像処理部１０７は、生成したシングル表示モードの表示用映像データを表示部１１１に供給する。表示部１１１は、映像処理部１０７から供給された表示用映像データを画面に表示する。これにより、低解像度の映像信号を受信したと判定された映像受信部１０３〜１０６の１つか受信した映像信号に対応する表示用映像データが、シングル表示モードで表示部１１１の画面に表示される。低解像度の映像信号を受信したと判定された映像受信部１０３〜１０６の１つを選択する方法としては、映像受信部１０３〜１０６を製品出荷時に事前に順番付けしておいても良いし、ユーザに事前に設定させておいてもよい。
【００３２】
図３に示すような４つの１Ｋ映像信号が表示装置１００に入力される場合で、シングル表示モードにしたいときには、例えば、所定の低解像度水平有効画素数を１０２４、所定の低解像度垂直有効ライン数を７６８とする。この条件下では、低解像度判定部１０９は、映像受信部１０３〜１０６で受信される１Ｋ映像信号を低解像度であると判定する。表示モード判定部１１０は、有信号があると判定された映像受信部１０３〜１０６で受信された映像信号の解像度が全て低解像度と判定されるので、シングル表示モードを選択する。映像処理部１０７は、低解像度と判定された映像信号を受信した映像受信部１０３〜１０６のうちから映像受信部１０３を選択し、映像受信部１０３で受信された映像信号からシングル表示モードの表示用映像データを生成し、表示部１１１に供給する。表示部１１１は、図５に示すように、画面の中央領域５００に、映像受信部１０３で受信された映像信号に対応する表示用映像データのみを表示する。
【００３３】
実施例１では、表示装置１００に複数入力された映像信号が全て低解像度である場合に、表示装置１００の表示モードをシングル表示モードに決定するので、低解像度の映像信号に対応する表示用映像データを複数表示しなくなる。これにより、表示装置１００は、ユーザにとって見苦しい映像を表示しないようにすることができる。
【００３４】
映像信号端子としてＤｉｓｐｌａｙＰｏｒｔを採用する実施例を説明したが、映像端子としてＤｉｓｐｌａｙＰｏｒｔに限定されないことはあきらかである。
【００３５】
本実施例において、シングル表示モードの表示装置１００は、表示部１１１の画面中央に表示される映像データのサイズを変更して表示してもよい。
【実施例２】
【００３６】
図６は、本発明の実施例２の概略構成ブロック図を示す。図１に示す実施例と同じ機能の構成要素には同じ符号を付し、説明を省略する。
【００３７】
図６に示す表示装置６００は、表示モード判定部６１０及び同一映像判定部６１４を有する。表示モード判定部６１０は、入力信号有無判定部１０８、低解像度判定部１０９及び同一映像判定部６１４の各判定結果に従い、表示装置６００の表示モードを決定し、決定した表示装置１００の表示モードに応じて映像処理部１０７を制御する。
【００３８】
同一映像判定部６１４は、映像受信部１０３〜１０６で受信される映像信号の画素データを比較して、比較結果に基づいて、映像受信部１０３〜１０６のそれぞれで受信された映像信号が同じ映像信号であるか否かを判定する。
【００３９】
図７は、表示装置６００の表示モード自動変更処理のフローチャートである。ステップＳ７０１，Ｓ７０２，Ｓ７０３，Ｓ７０７，Ｓ７０８は、図４に示すフローのステップＳ４０１，Ｓ４０２，Ｓ４０３，Ｓ４０５，Ｓ４０６と同じであり、説明を省略する。
【００４０】
ステップＳ７０４において、表示モード判定部６１０は、低解像度判定部１０９の判定結果に基づいて、有信号があると判定された複数の映像受信部によって受信された映像信号が全て低解像度であるか否かを判定する。有信号があると判定された複数の映像受信部によって受信された映像信号が全て低解像度であると判定された場合、ステップＳ７０５に進む。有信号があると判定された複数の映像受信部によって受信された映像信号の少なくとも一つが低解像度ではない場合、表示モード判定部６１０は、表示装置１００の表示モードとしてマルチ表示モードを選択し、ステップ７０７に進む。
【００４１】
ステップＳ７０５において、低解像度判定部１０９は、映像受信部１０３〜１０６で受信され、かつ、低解像度と判定された複数の映像信号の各画素データを取得し、ステップＳ７０６に進む。
【００４２】
ステップＳ７０６において、同一映像判定部６１４は、有信号があると判定された映像受信部１０３〜１０６で受信された複数の映像信号が全て同一であるか否かを判定する。例えば、同一映像判定部６１４は、ステップＳ７０５で取得した画素データを比較し、有信号があると判定された映像受信部１０３〜１０６で受信された複数の映像信号が全て同一であるか否かを判定する。具体的には、同一映像判定部６１４は、各画素データに含まれる色データを比較し、比較結果を用いる。その後、同一映像判定部６１４は、少なくとも一部の画素データにおける画素データの一致の割合が閾値（例えば、９０％）を超えている場合、有信号があると判定された映像受信部１０３〜１０６で受信された複数の映像信号が全て同一であると判定する。表示モード判定部１１０は、同一映像判定部６１４の判定結果により有信号があると判定された映像受信部１０３〜１０６で受信された複数の映像信号が全て同一であることが検出された場合、表示装置１００の表示モードとしてシングル表示モードを選択する。その後、ステップＳ７０８に進む。表示モード判定部１１０は、同一映像判定部６１４の判定結果により有信号があると判定された映像受信部１０３〜１０６で受信された複数の映像信号のうち一つでも同一でないものがある場合、表示装置１００の表示モードとしてマルチ表示モードを選択する。その後、ステップＳ７０７に進む。
【００４３】
図３に示すような４つの１Ｋ映像信号が表示装置６００に入力される場合で、シングル表示モードにしたいときには、例えば、所定の低解像度水平有効画素数を１０２４、所定の低解像度垂直有効ライン数を７６８とする。この条件下では、低解像度判定部１０９は、映像受信部１０３〜１０６で受信される１Ｋ映像信号を低解像度であると判定する。表示モード判定部１１０は、有信号があると判定された映像受信部１０３〜１０６で受信された映像信号の解像度が全て低解像度と判定され、かつ同一映像判定部６１４で低解像度の映像信号が全て同一であると判定されるので、シングル表示モードを選択する。
【００４４】
表示装置６００は、入力される映像信号の有無、入力される映像信号の解像度及び入力される映像信号が全て同一か否かに応じて、表示装置６００の表示モードを切り換える。入力される複数の映像信号が全て同じで低解像度である場合に、表示装置６００の表示モードをシングル表示モードに決定するので、低解像度で同じ映像信号に対応する表示用映像データを複数表示しなくなる。入力される複数の映像信号が低解像度であっても、入力される複数の映像信号が全て同一でない場合は、表示装置６００の表示モードをマルチ表示モードに決定するので、ユーザに、異なる映像を同時に閲覧させるようにすることができる。
【実施例３】
【００４５】
図８は、本発明の実施例３の概略構成ブロック図を示す。本実施例では、入力映像の数、解像度、及び同期の有無に応じて、表示モードを決定し、自動で切り換える。図１に示す実施例と同じ機能の構成要素には同じ符号を付し、説明を省略する。
【００４６】
図８に示す表示装置８００は、表示モード判定部８１０、信号同期判定部８１４を有する。表示モード判定部８１０は、入力信号有無判定部１０８、低解像度判定部１０９及び信号同期判定部８１４の各判定結果に従い、表示装置８００の表示モードを決定し、決定した表示装置８００の表示モードに応じて映像処理部１０７を制御する。
【００４７】
信号同期判定部８１４は、各映像受信部１０３〜１０６で受信される複数の映像信号を解析し、各映像信号の垂直同期信号を検出する。その後、信号同期判定部８１４は、各映像信号の垂直同期信号のタイミングが全て一致しているか否かに応じて、各映像信号の垂直同期信号の全てが同期しているか非同期であるかを判定する。具体的には、信号同期判定部８１４は、各映像信号の垂直同期信号のタイミングが全て一致している場合、各映像信号の垂直同期が全て同期していると判定する。信号同期判定部８１４は、各映像信号の垂直同期信号のタイミングの少なくとも一つが一致していない場合、各映像信号の垂直同期が全て同期していない、つまり非同期であると判定する。
【００４８】
説明例として、図９に示すような接続例を想定する。図９に示す例では、映像受信部１０３にはＰＣ９０１の映像送信部９０２からケーブル９０３を介して１Ｋ映像信号が入力される。映像受信部１０５には、ＰＣ９０４の映像送信部９０５からケーブル９０６を介して１Ｋ映像信号が入力される。映像受信部１０４，１０６は信号入力無し、つまり「無信号」である。ＰＣ９０１とＰＣ９０４は、個別のクロックで動作しており、同じ解像度の映像信号であっても垂直同期信号のタイミングにズレがある。
【００４９】
図１０は、表示装置８００の表示モード自動変更処理のフローチャートである。ステップＳ１００１，Ｓ１００２，Ｓ１００３，Ｓ１００７，Ｓ１００８はそれぞれ、図４に示すフローのステップＳ４０１，Ｓ４０２，Ｓ４０３，Ｓ４０５，Ｓ４０６と同じであるので、説明を省略する。
【００５０】
ステップＳ１００４において、表示モード判定部８１０は、低解像度判定部１０９の判定結果に基づいて、有信号があると判定された複数の映像受信部によって受信された映像信号が全て低解像度であるか否かを判定する。有信号があると判定された複数の映像受信部によって受信された映像信号が全て低解像度であると判定された場合、ステップＳ１００５に進む。有信号があると判定された複数の映像受信部によって受信された映像信号の少なくとも一つが低解像度ではない場合、表示モード判定部８１０は、表示装置１００の表示モードとしてマルチ表示モードを選択し、ステップ１００７に進む。図９に示すように、映像受信部１０３、１０５に映像出力装置が接続されている場合、映像受信部１０３で受信された映像信号及び映像受信部１０５で受信された映像信号が低解像度である場合、ステップＳ１００５に進む。
【００５１】
ステップＳ１００５において、信号同期判定部８１４は、映像受信部１０３〜１０６で受信され、かつ、低解像度と判定された複数の映像信号を取得し、ステップＳ１００６に進む。図９に示す例では、信号同期判定部８１４は、映像受信部１０３及び１０５で受信される映像信号を取得することになる。
【００５２】
ステップＳ１００６において、信号同期判定部８１４は、映像受信部１０３〜１０６（図９では、映像受信部１０３，１０５）で受信され、かつ、低解像度と判定された各映像信号の垂直同期信号が全て同期するか否かを判定する。例えば、図９の場合を例に挙げて説明する。信号同期判定部８１４は、映像受信部１０３で受信された映像信号の垂直同期信号のタイミングと、映像受信部１０５で受信された映像信号の垂直同期信号のタイミングが一致している場合、低解像度である各映像信号の垂直同期信号が全て同期していると判定する。信号同期判定部８１４は、映像受信部１０３で受信された映像信号の垂直同期信号のタイミングと、映像受信部１０５で受信された映像信号の垂直同期信号のタイミングが不一致である場合、低解像度である各映像信号の垂直同期信号が非同期であると判定する。
【００５３】
映像受信部１０３〜１０６で受信され、低解像度であると判定された各映像信号の垂直同期信号が全て同期している場合、表示モード判定部８１０は、表示装置１００の表示モードとしてシングル表示モードを選択する。その後、ステップＳ１００８に進む。映像受信部１０３〜１０６で受信され、低解像度であると判定された各映像信号の垂直同期信号のうち一つでも同期していないものがある場合、表示モード判定部８１０は、表示装置１００の表示モードとしてマルチ表示モードを選択する。その後、ステップＳ１００７に進む。
【００５４】
図９に示す接続例では、ＰＣ９０１とＰＣ９０４の出力する映像信号の垂直同期信号に時間的なズレがあり、信号同期判定部８１４は、映像受信部１０３，１０５に入力する映像信号は「非同期」であると判定する。この判定により、表示モード判定部８１０は、表示装置８００の表示モードとしてマルチ表示モードを選択する。図９に示すように、表示装置８００は、映像受信部１０３で受信された映像信号に対応する表示用映像データ９０７と、映像受信部１０５で受信された映像信号に対応する表示用映像データ９０８を同時に表示する。
【００５５】
表示装置８００は、入力される映像信号の有無、入力される映像信号の解像度及び入力される映像信号の同期（垂直同期の一致）に応じて、表示装置８００の表示モードを切り換える。入力される複数の映像信号が、全て低解像度であり、かつ、垂直同期信号のタイミングが一致する場合に、表示装置８００の表示モードをシングル表示モードに決定するので、低解像度で同期のとれた映像信号に対応する表示用映像データを複数表示しなくなる。入力される複数の映像信号が低解像度であっても、入力される複数の映像信号が非同期である場合は、表示装置６００の表示モードをマルチ表示モードに決定するので、ユーザに、異なる映像を同時に閲覧させるようにすることができる。
【実施例４】
【００５６】
図１１は、本発明の実施例４の概略構成ブロック図を示す。図１１に示す表示装置１１００は、外部から入力される映像信号の数と、外部から入力される映像信号のＤｉｓｐｌａｙＰｏｒｔのレーン数に応じて、表示モードを自動で切り換える。図１に示す実施例と同じ機能の構成要素には同じ符号を付してある。
【００５７】
映像入力部１１０２は、ＤｉｓｐｌａｙＰｏｒｔ対応の４つの映像受信部１１０３〜１１０６を具備する。各映像受信部１１０３〜１１０６は、不図示の映像出力装置から入力される映像信号を受信する。各映像受信部１１０３〜１１０６は、入力された映像信号からＤｉｓｐｌａｙＰｏｒｔの使用レーン数を取得し、レーン数情報として出力する。
【００５８】
低解像度判定部１１０９は、映像受信部１１０３〜１１０６から出力されるレーン数情報を参照して、レーン情報に対応する映像信号が低解像度であるか否かを判定する。
【００５９】
表示モード判定部１１１０は、入力信号有無判定部１０８による信号有無の判定結果と、低解像度判定部１１０９の判定結果とに従い、表示装置１１００の表示モードを決定し、決定した表示装置１１００の表示モードに応じて映像処理部１０７を制御する。
【００６０】
図１２は、ＤｉｓｐｌａｙＰｏｒｔインターフェースの構成の説明図である。ＤｉｓｐｌａｙＰｏｒｔインターフェースは、映像データを伝送するメインリンク１２００と、ＡＵＸチャネル１２０５と、映像送信部と映像受信部の間で双方向に制御信号を伝送するＡＵＸチャネル１２０５と、ホットプラグ線１２０６からなる。映像送信部と映像受信部は、ＡＵＸチャネル１２０５を使って双方向に制御信号を伝送できる。メインリンク１２００は４つのレーン１２０１〜１２０４を具備し、伝送する映像信号の解像度によって使用レーン数が決まる。レーン数が少ないほど、解像度が小さな映像信号となる。
【００６１】
図１３は、表示装置１１００の表示モード自動変更処理のフローチャートである。ステップＳ１３０１，Ｓ１３０２，Ｓ１３０５，Ｓ１３０６はそれぞれ、図４に示すフローのステップＳ４０１，Ｓ４０２，Ｓ４０５，Ｓ４０６と同じであるので、説明を省略する。
【００６２】
ステップＳ１３０３において、低解像度判定部１１０９は、有信号があると判定された映像受信部１１０３〜１１０６の出力からＤｉｓｐｌａｙＰｏｒｔのレーン数情報を取得する。低解像度判定部１１０９は、取得したレーン数情報に従い、有信号があると判定された複数の映像受信部によって受信された映像信号が全て低解像度であるか否かを判定する。具体的には、低解像度判定部１１０９は、有信号であると判定された映像受信部１１０３〜１１０６から取得したレーン数を基準レーン数（又は閾値）と比較する。低解像度判定部１１０９は、比較の結果、映像出力装置が映像信号を表示装置１１００に伝送するために使用するレーン数が基準レーン数以下の場合、有信号であると判定された複数の映像受信部によって受信された映像信号が全て低解像度と判定する。また、低解像度判定部１１０９は、映像出力装置が映像信号を表示装置１１００に伝送するために使用するレーン数が基準レーン数以下でない場合、有信号であると判定された複数の映像受信部で受信された映像信号の少なくとも一つが低解像度でないと判定する。
【００６３】
ステップＳ１３０４において、低解像度判定部１１０９の判定結果に基づいて、有信号であると判定された複数の映像受信部によって受信された映像信号が全て低解像度である場合は、ステップＳ１３０６に進む。この場合、表示モード判定部１１１０は、表示装置１００の表示モードとしてシングル表示モードを選択する。また、有信号であると判定された複数の映像受信部によって受信された映像信号の少なくとも一つが低解像度でない場合、ステップ１３０５に進む。また、この場合、表示モード判定部１１１０は、表示装置１００の表示モードとしてマルチ表示モードを選択する。
【００６４】
映像処理部１０７は、選択された表示モードに従い、有信号があると判定された映像受信部１１０３〜１１０６によって受信された映像信号から表示用映像データを作成し、表示部１１１に供給する。
【００６５】
ＤｉｓｐｌａｙＰｏｒｔでは、水平有効画素数１０２４、垂直有効ライン数７６８の映像信号を伝送するのに、２本のレーンを使用する。従って、低解像度（ここでは、１Ｋ映像）かどうかは、レーン数が２以下かどうかで判定できる。低解像度判定部１１０９は、使用レーン数が２以下かどうかを判定し、使用レーン数が２以下の映像信号を低解像度であると判定する。
【００６６】
このように、解像度に応じて映像伝送に使用する伝送路のレーン数が異なる場合に、使用レーン数で解像度をおおまかに判定ないし分類できる。
【００６７】
（他の実施例）本発明に係る表示装置は、実施例１〜４で説明した表示装置に限定されない。例えば、本発明に係る表示装置は、複数の装置から構成されるシステムにより実現することも可能である。
【００６８】
また、実施例１〜４で説明した様々な処理及び機能は、コンピュータプログラムより実現することも可能である。この場合、上述した実施例の個々の機能又は制御の全部又は一部は、ＣＰＵ１０１上で動作するコンピュータプログラムにより実現可能である。もちろん、映像処理部、入力信号有無判定部、低解像度判定部、表示モード判定部及び同一映像判定部が実現する機能の一部又は全部をハードウエアで実現し、残りをコンピュータプログラムにより実現してもよい。
【００６９】
本発明に係るコンピュータプログラムは、コンピュータ上で稼動しているＯＳ（Ｏｐｅｒａｔｉｎｇ  Ｓｙｓｔｅｍ）などを利用して、実施例１〜４で説明した様々な処理及び機能を実現してもよいことは言うまでもない。
【００７０】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【図１】
2015060021.tif 000003
【図２】
2015060021.tif 000004
【図３】
2015060021.tif 000005
【図４】
2015060021.tif 000006
【図５】
2015060021.tif 000007
【図６】
2015060021.tif 000008
【図７】
2015060021.tif 000009
【図８】
2015060021.tif 000010
【図９】
2015060021.tif 000011
【図１０】
2015060021.tif 000012
【図１１】
2015060021.tif 000013
【図１２】
2015060021.tif 000014
【図１３】
2015060021.tif 000015